(57)【要約】【課題】被写体の色あいを調整可能な撮影システム、照明装置及びカメラを提供する。【解決手段】本発明の撮影システム１は、外部から送信された色相情報を受信可能な受信部２３、被写体に照射されるとともに色相が可変な照明光を発生する照明部２１、及び該受信部２３が受信した前記色相情報に基づいて前記照明部２１が発生する前記照明光の色相を調整可能な色相調整部２２、を有する照明装置２０Ａと、前記照明装置２０Ａが発生する照明光の色相を決定する色相決定部２００、該色相決定部２００により決定された前記照明装置２０Ａの色相情報を前記照明装置２０Ａに送信する送信部１８０、を有するカメラ１０と、を備えることを特徴とする。【選択図】図１
2012204954.tif 000002
【特許請求の範囲】
【請求項１】
外部から送信された色相情報を受信可能な受信部、被写体に照射されるとともに色相が可変な照明光を発生する照明部、及び該受信部が受信した前記色相情報に基づいて前記照明部が発生する前記照明光の色相を調整可能な色相調整部、を有する照明装置と、
前記照明装置が発生する照明光の色相を決定する色相決定部、該色相決定部により決定された前記照明装置の色相情報を前記照明装置に送信する送信部、を有するカメラと、
を備える撮影システム。
【請求項２】
請求項１に記載の撮影システムであって、
前記カメラは、色相選択部をさらに備え、
前記色相決定部は、前記色相選択部により現在の色相と異なる色相が選択された場合に、選択された色相を新たな色相として決定すること、
を特徴とする撮影システム。
【請求項３】
請求項２に記載の撮影システムであって、
前記カメラは、
被写体光を受光する受光部と、
前記受光部により受光されている被写体像を表示する像表示部と、
前記像表示部に表示されている前記被写体像の一部分を選択可能な選択部と、
色相帯、及び、前記選択部により選択された部分の色相が前記色相帯上のどの部分に存在するか示す指示部を表示する色相表示部と、
をさらに備え、
前記色相選択部は、前記色相表示部における前記指示部の位置を変更することにより、前記新たな色相を選択すること、
を特徴とする撮影システム。
【請求項４】
請求項３に記載の撮影システムであって、
前記色相表示部に表示される前記色相帯の長さは、前記選択部によって選択されている部分における、前記照明装置により変更可能な色相範囲に応じて変更されること、
を特徴とする撮影システム。
【請求項５】
請求項１から４のいずれか１項に記載の撮影システムであって、
前記照明装置は、ＬＥＤ照明装置であること、
を特徴とする撮影システム。
【請求項６】
請求項１から５のいずれか１項記載の撮影システムであって、
前記照明装置は、複数であること、
を特徴とする撮影システム。
【請求項７】
外部から送信された色相情報を受信可能な受信部、被写体に照射されるとともに色相が可変な照明光を発生する照明部、及び該受信部が受信した前記色相情報に基づいて前記照明部が発生する前記照明光の色相を調整可能な色相調整部、を有する照明装置。
【請求項８】
照明装置が発生する照明光の色相を決定する色相決定部、該色相決定部により決定された前記照明装置の色相情報を前記照明装置に送信する送信部、を有するカメラ。
【発明の詳細な説明】
【技術分野】
【０００１】
本発明は、撮影システム、照明装置及びカメラに関するものである。
【背景技術】
【０００２】
従来、室内のＬＥＤ照明のオン／オフ切り換えや照度の調整を、無線通信等を介して中央制御装置から行うネットワーク対応型の照明システムがある（例えば、特許文献１参照）。また、ＬＥＤ照明にカメラを埋め込み、防犯を目的として撮影データを中央管理装置に送信することも提案されている。
【先行技術文献】
【特許文献】
【０００３】
【特許文献１】特開２０１０−８０１３９号公報
【発明の概要】
【発明が解決しようとする課題】
【０００４】
しかし、従来の照明の調節は撮影を目的として行われるものではなく、照明の色あいまで考慮したものではない。
本発明の課題は、被写体の色あいを調整可能な撮影システム、照明装置及びカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、外部から送信された色相情報を受信可能な受信部（２３）、被写体に照射されるとともに色相が可変な照明光を発生する照明部（２１）、及び該受信部（２３）が受信した前記色相情報に基づいて前記照明部（２１）が発生する前記照明光の色相を調整可能な色相調整部（２２）、を有する照明装置（２０Ａ）と、前記照明装置（２０Ａ）が発生する照明光の色相を決定する色相決定部（２００）、該色相決定部（２００）により決定された前記照明装置（２０Ａ）の色相情報を前記照明装置（２０Ａ）に送信する送信部（１８０）、を有するカメラ（１０）と、を備える撮影システム（１）である。
請求項２に記載の発明は、請求項１に記載の撮影システム（１）であって、前記カメラ（１０）は、色相選択部（１６０）をさらに備え、前記色相決定部（２００）は、前記色相選択部（１６０）により現在の色相と異なる色相が選択された場合に、選択された色相を新たな色相として決定すること、を特徴とする撮影システム（１）である。
請求項３に記載の発明は、請求項２に記載の撮影システム（１）であって、前記カメラ（１０）は、被写体光を受光する受光部（１３０）と、前記受光部（１３０）により受光されている被写体像を表示する像表示部（１７０）と、前記像表示部（１７０）に表示されている前記被写体像の一部分を選択可能な選択部（３１）と、色相帯（３２）、及び、前記選択部により選択された部分の色相が前記色相帯上のどの部分に存在するか示す指示部（３３）を表示する色相表示部（３０）と、をさらに備え、前記色相選択部（１６０）は、前記色相表示部（３０）における前記指示部（３３）の位置を変更することにより、前記新たな色相を選択すること、を特徴とする撮影システム（１）である。
請求項４に記載の発明は、請求項３に記載の撮影システム（１）であって、前記色相表示部（３０）に表示される前記色相帯（３２）の長さは、前記選択部（３１）によって選択されている部分における、前記照明装置（２０Ａ）により変更可能な色相範囲に応じて変更されること、を特徴とする撮影システム（１）である。
請求項５に記載の発明は、請求項１から４のいずれか１項に記載の撮影システム（１）であって、前記照明装置は、ＬＥＤ照明装置（２０Ａ）であること、を特徴とする撮影システム（１）である。
請求項６に記載の発明は、請求項１から５のいずれか１項記載の撮影システム（１）であって、前記照明装置（２０Ａ）は、複数であること、を特徴とする撮影システム（１）である。
請求項７に記載の発明は、外部から送信された色相情報を受信可能な受信部（２３）、被写体に照射されるとともに色相が可変な照明光を発生する照明部（２１）、及び該受信部（２３）が受信した前記色相情報に基づいて前記照明部（２１）が発生する前記照明光の色相を調整可能な色相調整部（２２）、を有する照明装置（２０Ａ）である。
請求項８に記載の発明は、照明装置（２０Ａ）が発生する照明光の色相を決定する色相決定部（２００）、該色相決定部（２００）により決定された前記照明装置（２０Ａ）の色相情報を前記照明装置（２０Ａ）に送信する送信部（１８０）、を有するカメラ（１０）である。
なお、符号を付して説明した構成は、適宜改良してもよく、また、少なくとも一部を他の構成物に代替してもよい。
【発明の効果】
【０００７】
本発明によれば、被写体の色あいを調整可能な撮影システム、照明装置及びカメラを提供することができる。
【図面の簡単な説明】
【０００８】
【図１】本発明の一実施形態に係る撮影システムの全体構成を示す説明図である。
【図２】カメラの背面拡大図である。
【図３】カメラのブロック構成図である。
【図４】カメラにおけるカメラ制御部の機能ブロック構成図である。
【図５】撮影システムの撮影時における全体フローチャートである。
【図６】照明装置調色処理の全体フローチャートである。
【図７】目標色設定処理のフローチャートである。
【図８】調色対象照明装置の選択処理のフローチャートである。
【図９】照明装置の調色処理のフローチャートである。
【図１０】調色用評価値算出処理のフローチャートである。
【図１１】第２実施形態における照明装置調色処理の全体フローチャートである。
【図１２】目標色設定可能範囲算出処理のフローチャートである。
【図１３】第２実施形態における目標色設定処理のフローチャートである。
【発明を実施するための形態】
【０００９】
以下、図面等を参照して、本発明の実施形態について説明する。
［第１実施形態］
図１は、本発明の一実施形態に係る撮影システム１の全体構成を示す説明図である。図２は、カメラ１０の背面拡大図である。図３はカメラ１０のブロック構成図である。図４は、カメラ１０におけるカメラ制御部２００の機能ブロック構成図である。
撮影システム１は、カメラ１０と、照明システム２０と、によって構成されている。
【００１０】
図３に示すように、カメラ１０は、レンズ部１１０と、レンズ制御部１２０と、撮影部１３０と、記憶部１４０と、電源部１５０と、操作部１６０と、表示部１７０と、カメラ通信部１８０と、カメラ制御部２００と、を備えている。
レンズ部１１０は、結像光学系を構成する複数のレンズ群１１１と、絞り１１２と、シャッタ１１３と、を有する。
レンズ群１１１は、ＡＦ（合焦）レンズ１１１Ａと、ズーミングレンズ１１１Ｂと、を含む。ＡＦレンズ１１１Ａは、光軸方向に移動駆動されて、結像位置を変化させる。ズーミングレンズ１１１Ｂは、光軸方向に移動駆動されて、焦点距離を変化させる。
【００１１】
レンズ制御部１２０は、ＡＦレンズ制御部１２１と、メカシャッタ制御部１２２と、絞り制御部１２３と、ズームレンズ制御部１２４と、を有する。
ＡＦレンズ制御部１２１は、合焦状態とすべくＡＦレンズ１１１Ａを移動制御する。
メカシャッタ制御部１２２は、シャッタ１１３を駆動制御して露光時間を規定する。
絞り制御部１２３は、露光量を調整する絞りを駆動制御する。
ズームレンズ制御部１２４は、焦点距離を変化させるべくズーミングレンズ１１１Ｂを移動制御する。
【００１２】
撮影部１３０は、撮像センサ１３１と、ＡＦＥ回路１３２と、タイミングジェネレータ１３３と、を有する。
撮像センサ１３１は、たとえばＣＣＤやＣＭＯＳ等の光電変換素子であって、レンズ部１１０のレンズ群１１１によってその撮像面に結像された画像を電気信号に変換して出力する。
ＡＦＥ回路１３２は、撮像センサ１３１から入力されたアナログ画像信号に対するゲイン調整と、アナログ処理後の画像信号のデジタル画像情報への変換とを行う。
タイミングジェネレータ１３３は、撮像センサ１３１からの画像データ読み出しの信号を撮像センサに入力する。
【００１３】
記憶部１４０は、当該カメラ１０に内蔵されたＦＬＡＳＨメモリ１４１およびＳＤＲＡＭ１４２と、当該カメラ１０に着脱可能なＳＤカード等の記録媒体１４３と、を有する。
電源部１５０は、当該カメラ１０に着脱可能な電池からの電力供給を制御する。
操作部１６０は、操作ボタン１６１や十字キー１６２、および、図示しないレリーズボタンや各種スイッチボタンを含み、使用者がそれらを操作することによってレリーズ操作や後述する表示部１７０に表示された各種機能の選択乃至解除等を行う。
【００１４】
表示部１７０は、ＴＦＴ液晶画面１７１と、バックライト１７２とにより構成されて、カメラ１０のボディ背面に設けられている。表示部１７０は、撮影部１３０の撮像センサ１３１が撮影中のリアルタイムの画像（スルー画像）や、撮影済みの画像を表示する。また、表示部１７０は、再生条件、撮影条件、カメラの基本設定等の設定が可能なメニュー画面等を表示することができるようになっている。
【００１５】
さらに、表示部１７０は、後述する調色制御における調色設定画面を表示する。
調色設定画面は、図２に示すように、調色領域選択フレーム３１と、選色バー３２と、選色フレーム３３とを、スルー画像３０に重ねて表示する。
調色領域選択フレーム３１は、矩形の枠状に表示され、操作部１６０における操作ボタン１６１や十字キー１６２等の操作によって、その位置を移動させて調色領域を選択するようになっている。調色領域選択フレーム３１は、その大きさを変更可能としても良い。なお、調色領域選択フレーム３１の形状は矩形に限らず、たとえば円形等であっても良い。また、調色領域選択フレーム３１の移動は、タッチパネルによって行う構成としても良い。
【００１６】
選色バー３２は、本実施形態では、所定幅の帯状であって、表示部１７０における表示画面の下辺に沿って表示される。選色バー３２は、たとえば、図２中左端を短波長端（紫色）、右端を長波長端（赤色）として、その間で連続的に波長（色相）が変化する表示となっている。
選色フレーム３３は、矩形の枠状であって、選色バー３２に重ねて表示され、操作部１６０における操作ボタン１６１や十字キー１６２またはタッチパネル等の操作によって選色バー３２に沿って移動することで、選色バー３２に表示された色あいを選択できるようになっている。選色フレーム３３は、初期状態では、調色領域選択フレーム３１が位置する画像領域における色あいを示す選色バー３２の位置に表示される。
【００１７】
図３に戻り、カメラ通信部１８０は、無線通信の送受信装置であって、通信モジュール１８１と、通信制御部１８２と、を有する。カメラ通信部１８０は、後述するカメラ制御部２００の制御信号を当該カメラ１０から外部（照明システム２０）に発信し、また、当該カメラ１０の外部（照明システム２０）から発信された情報信号を受信してカメラ制御部２００に入力する。
【００１８】
カメラ制御部２００は、ＣＰＵを有して構成され、当該カメラ１０における前述した各構成要素を統括的に制御する。
カメラ制御部２００は、図４に示す各機能部によって構成されている。
すなわち、機能部は、撮像センサデータ受信部２０１、ＡＥ・ＡＷＢ・ＡＦ評価値演算部２０２、ＡＥ・ＡＷＢ・ＡＦ演算部２０３、画像処理演算部２０４、画像コーデック部２０５、調色評価値演算部２０６、表示データ出力部２０７、スイッチ検出部２０８、ＦＬＡＳＨメモリコントローラ２０９、通信制御部２１０、ＳＤカードＩＦ制御部２１１、調色演算部２１２、ＳＤＲＡＭコントローラ２１３等である。
【００１９】
ＡＥ・ＡＷＢ・ＡＦ評価値演算部２０２は、撮影部１３０の撮像センサ１３１による撮影データから、ＡＥ（自動露出）、ＡＷＢ（自動ホワイトバランス）、ＡＦ（オートフォーカス）に係る評価値を演算する。
調色評価値演算部２０６は、後述する調色制御における調色評価値の演算を行う。
調色演算部２１２は、後述する調色制御を行う。
【００２０】
そして、カメラ１０は、カメラ制御部２００によって統括的に制御される。操作部１６０における図示しないレリーズボタンが押圧操作（レリーズ操作）されると、撮像センサ１３１がその撮像面に結像された被写体像光を電気信号に変換し出力する。制御部２００は、出力された電気信号に基づいて画処理を行うことで画像データを生成し、画像データを図示しない記録媒体１４３に記録（すなわち撮影）する。
また、カメラ１０（カメラ制御部２００）は、カメラ通信部１８０を介して後述する照明システム２０を制御（照明制御）する。この照明制御については、後に詳述する。
【００２１】
照明システム２０は、図１に示すように、複数の単位照明装置２０Ａ（以下、単に照明装置２０Ａと記す）により構成されている。
照明装置２０Ａは、照明部２１と、照明制御部２２と、照明通信部２３と、を有している。なお、図１において、右端に示す照明装置２０Ａのみにこれらの構成を示すが、他の照明装置２０Ａも同様に構成されている。また、複数の照明部２１をグループとして構成しても良い。
【００２２】
照明部２１は、ＬＥＤ等の発光体を有して構成され、電源２０Ｂから照明制御部２２を介して供給される電力によって発光する。照明部２１は、その発光の色あい（換言すれば色温度）を変えることができるように構成されている。つまり、照明部２１は、照光のスペクトルにおける光量分布のピーク波長を変えることができるようになっている。なお、色あいを変化させる構成は、ＲＧＢのＬＥＤを備えてその発光バランスを変化させるもの、１つのＬＥＤに対して供給電力の電圧を変化させることで色あいを変化させるもの、の何れの構成であっても良い。
【００２３】
照明制御部２２は、ＣＰＵおよびメモリ等を有して構成されており、照明通信部２３を介して外部（カメラ１０）から入力される制御指令に基づいて、照明部２１のＯＮ／ＯＦＦや照明部２１に供給する電流・電圧等を制御して光量調整や色あいを変化させる調整（以下、色調整）を行う。また、照明制御部２２は、当該照明装置２０Ａにおける情報（複数の中から識別するための個体識別番号［ＩＤ］や定格出力等）をメモリに保持しており、これらの情報やその時点における光量や色温度等の状態情報を、照明通信部２３を介して外部（カメラ１０）に出力する。
【００２４】
照明通信部２３は、無線通信の送受信装置であって、外部（カメラ１０）から発信された当該照明装置２０Ａに係る制御情報を受信し、照明制御部２２に入力する。また、照明通信部２３は、当該照明システム２０の情報（ＩＤ、定格出力、色温度、状態情報等）を外部（カメラ１０）に発信する。
【００２５】
上記構成の照明システム２０では、各々の照明装置２０Ａは、外部（カメラ１０）から照明通信部２３を介して入力された制御情報に基づいて、照明制御部２２によって制御され、照明部２１のＯＮ／ＯＦＦや光量調整および色調整が可能となっている。なお、カメラ１０からだけでなく、たとえば、照明通信部２３と接続されたインターネット等のネットワーク、また、リモコン等の外部機器等から照明装置２０Ａ（照明部２１）のＯＮ／ＯＦＦや光量調整および色調整を行うこともできる。
【００２６】
つぎに、前述したカメラ１０（カメラ制御部２００）による照明システム２０の照明制御を、図５〜図１０に示すフローチャートを参照して説明する。なお、以下の説明中および図中においては「ステップ」を「Ｓ」とも略記する。
【００２７】
はじめに、図５に示す撮影システム１の撮影時におけるフローチャートに従って、カメラ１０による撮影制御の全体の流れを説明する。
操作部１６０の操作によってカメラ１０が起動されると、設定された撮影モードを参照し（Ｓ５０１）、設定に従って、ＡＥ制御（Ｓ５０２）、ＡＷＢ制御（Ｓ５０３）、ＡＦ制御（Ｓ５０４）を設定する。
ついで、照明装置調色モードか否かを判定する（Ｓ５０５）。
ステップ５０５において照明装置調色モードに設定されていると判定（ＹＥＳ）された場合には、ステップ５０６の照明装置調色処理に進む。この照明装置調色処理については、後に詳述する。
一方、ステップ５０５において照明装置調色モードに設定されていないと判定（ＮＯ）された場合には、ステップ５０６の照明装置調色処理を跳ばしてステップ５０７に進む。
【００２８】
ステップ５０７では、レリーズスイッチが半押しされているか否かを判定する。
ステップ５０７においてレリーズスイッチが半押しされていると判定（ＹＥＳ）された場合には、つぎにレリーズスイッチが全押し操作されたか否かを判定する（Ｓ５０８）。
ステップ５０８においてレリーズスイッチが全押し操作されたと判定（ＹＥＳ）された場合には、撮影を実行し（Ｓ５０９）、画像データを記録する（Ｓ５１０）。なお、ここでの撮影とは静止画撮影、または動画撮影のことをいう。
ステップ５０８においてレリーズスイッチが全押し操作されていないと判定（ＮＯ）された場合には、レリーズスイッチの半押しを判定する（Ｓ５１１）。
ステップ５１１においてレリーズスイッチが半押しされていると判定（ＹＥＳ）された場合には、ステップ５０８のレリーズスイッチ全押し操作の判定に戻り、以後、これを繰り返す。また、ステップ５１１においてレリーズスイッチが半押しされていないと判定（ＮＯ）された場合には、ステップ５０１に戻る。
【００２９】
一方、ステップ５０７においてレリーズスイッチが半押しされていないと判定（ＮＯ）された場合には、つぎに、電源が入っているか否かを判定する（Ｓ５１２）。
ステップ５１２において電源が入っていると判定（ＹＥＳ）された場合には、ステップ５０１に戻る。
ステップ５１２において電源が入っていないと判定（ＮＯ）された場合には、制御対象の照明装置２０Ａの調色を初期状態に戻し（Ｓ５１３）、電源をＯＦＦとして（Ｓ５１４）、制御を終了する。
【００３０】
つぎに、全体フローチャートにおけるステップ５０５の照明装置調色処理について説明する。図６は、照明装置調色処理のフローチャートである。
照明装置調色処理では、まず、制御可能な照明装置２０Ａの検出を行い、制御可能な照明装置２０Ａの有無を判定する（Ｓ６０１）。
【００３１】
ステップ６０１において制御可能な照明装置２０Ａがないと判定（ＮＯ）された場合には、当該調色処理を終了する。
一方、ステップ６０１において制御可能な照明装置２０Ａが１つ以上あると判定（ＹＥＳ）された場合、カメラ１０は検出した１つ以上の照明装置２０Ａと通信接続を行う（Ｓ６０２）。
制御可能な照明装置２０Ａと通信接続が確立されると、その個数および個々の照明装置２０ＡのＩＤおよびそれぞれ各々のその時点における状態（光量および色温度等）の情報を取得し、それを制御前状態情報として記憶する（Ｓ６０２´）。
前述したように、カメラ１０と照明装置２０Ａは、互いにカメラ通信部１５と照明通信部２３とを介して通信接続を行い、状態情報または制御信号の受発信を行う。
【００３２】
つぎに、目標色の設定（Ｓ６０３）、調色対象照明装置の選択（Ｓ６０４）、照明装置の調色（Ｓ６０５）の各処理を行う。これら各処理については、以下に順次詳述する。
【００３３】
つぎに、上述した照明装置調色処理のフローチャートにおけるステップ６０３の目標色設定処理について説明する。図７は、目標色設定処理のフローチャートである。これは、操作部１６０を介して撮影者が行う設定処理であり、カメラ制御部２００にはその設定情報が入力される。
目標色設定処理は、まず、調色したい被写体２の領域を、表示部１７０における画面上で選択する（Ｓ７０１）。
ついで、ステップ７０１で選択した領域をどのような色に調色したいかを入力する（７０２）。
【００３４】
ここで、調色したい被写体２の領域の選択および調色希望色の入力は、前述したように、図２に示す表示部１７０における調色設定画面において行う。すなわち、被写体２の領域の選択は、スルー画像３０に重ねて表示された調色領域選択フレーム３１によって行い、調色希望色の入力は、選色バー３２に重ねて表示された選色フレーム３３を任意の色相の位置に移動させることで行うものである。
なお、選色フレーム３３を選色バー３２における任意の色相の位置に移動させた際に、スルー画像３０における調色領域を画像処理によって当該色相に変化させるように構成しても良い。
【００３５】
つぎに、調色処理のフローチャートにおけるステップ６０４の調色対象照明装置の選択処理について説明する。図８は、調色対象照明装置の選択処理のフローチャートである。
この調色対象照明装置の選択処理では、照明装置２０Ａの色あいを変化させてその変化による被写体２の色あいの変化の度合い（影響）を調べ、影響の大きなものを選択する。
【００３６】
すなわち、調色対象照明装置の選択処理は、まず、調色用評価値を算出し（Ｓ８０１）、その評価値を基本値として記憶する（Ｓ８０２）。なお、調色用評価値の算出については、後に詳述する。
ついで、色を変化させていない照明装置２０Ａを１つ選択し（Ｓ８０３）、選択した照明装置２０Ａの色あいを変化させて（Ｓ８０４）、再度調色用評価値を算出する（Ｓ８０５）。
そして、ステップ８０２において記憶した調色用評価値の基本値と、ステップＳ８０５で算出した調色用評価値とを比較して、その差分を算出する（Ｓ８０６）。
【００３７】
つづいて、ステップＳ８０６において算出された評価値の差分を定められた閾値と比較する（Ｓ８０７）。このステップＳ８０７において差分が閾値以上であると判定（ＹＥＳ）された場合には、調色対象照明装置として選択する（Ｓ８０８）。一方、ステップＳ８０７において評価値の差分が閾値未満であると判定（ＮＯ）された場合には、ステップ８０８を跳ばしてステップ８０９に進む。
【００３８】
ステップ８０９では、未判定の照明装置２０Ａの有無を判定し、未判定の照明装置２０Ａがあると判定（ＹＥＳ）された場合には、ステップ８０３に戻る。ステップ８０９において未判定の照明装置２０Ａが無いと判定（ＮＯ）された場合には、処理を終了する。このようにして、全ての対象照明装置２０Ａを判定する。
【００３９】
つぎに、調色処理のフローチャートにおけるステップ６０５の照明装置の調色処理について説明する。図９は、照明装置の調色処理のフローチャートである。
この調色処理では、照明装置２０Ａの照光を、調光可能な波長範囲において最も短波長側から長波長側に所定波長間隔で順番に変化させ、その都度評価値を取得して目標値と比較し、目標値に最も近い照光波長を探査する。そして、照明装置２０Ａの照光を、目標値に最も近い照光波長に制御するものである。なお、本実施形態は、１つの照明装置２０Ａが調色対象として選択されている場合の例である。ただし、複数の照明装置２０Ａが一括して調色制御される場合にも適用可能である。
【００４０】
すなわち、照明装置の調色処理は、まず、照明装置２０Ａの照光を当該照明装置２０Ａにおける最も短波長側に設定する（Ｓ９０１）。
ついで、調色用評価値を算出し（Ｓ９０２）、その調色対象被写体２のある領域の評価値と、目標色の差分を算出する（Ｓ９０３）。
【００４１】
そして、ステップ９０３において算出した評価値の差分が、今までで最も小さいか否かを判定する（Ｓ９０４）。このステップ９０４において評価値の差分が最も小さいと判定（ＹＥＳ）された場合には、当該照明装置２０Ａの設定内容を記憶して（Ｓ９０５）、ステップ９０６に進む。つまり、このフローの一巡目では、その評価値の差分は比較対象がないために最も小さいものとして記憶され、この差分が次の差分の比較対象となる。
【００４２】
ステップ９０４において評価値の差分が最も小さいものではないと判定（ＮＯ）された場合には、ステップ９０５を跳ばしてステップ９０６に進む。
ステップ９０６では、照明装置２０Ａの照光波長を長波長側にシフト可能か否かを判定する。
ステップ９０６において照明装置２０Ａの照光波長が長波長側にシフト可能と判定（ＹＥＳ）された場合には、照明装置２０Ａの照光波長を長波長側に所定量変化させて（Ｓ９０７）、ステップ９０２に戻る。
【００４３】
一方、ステップ９０６において照明装置２０Ａの照光波長が長波長側にシフト不能と判定（ＮＯ）された場合には、調光可能な波長範囲の探査が終了したとして、ステップ９０５において記憶された評価値の差分が最も小さい設定内容（照光波長）に照明装置２０Ａを制御して、処理を終了する。
【００４４】
つぎに、前述した調色対象照明装置の選択処理のフローチャートにおけるステップ８０１およびステップ８０５と、照明装置の調色処理のフローチャートにおけるステップＳ９０２の調色用評価値算出処理について説明する。図１０は、調色用評価値算出処理のフローチャートである。
調色用評価値算出処理は、前述した目標色設定処理における設定に基づいて評価値領域を指定し（Ｓ１００１）、当該評価値領域における画像センサのＲＧＢデータから、Ｒ／ＧとＢ／Ｇとを算出する（Ｓ１００２）。
そして、評価値領域毎にＲ／ＧとＢ／Ｇの平均を算出し（Ｓ１００３）、ついで、評価値領域毎にスルー画用のＣｂＣｒデータの平均を算出する（Ｓ１００４）。これらの算出値を調色用評価値とするものである。
なお、調色用評価値は、この例に限らず、ＲＧＢのゲインの積算データ等を用いても良い。また、ＡＥ・ＡＷＢ・ＡＦ評価値演算部２０２（図４参照）においてホワイトバランス設定の際に算出したデータを利用してもよい。
【００４５】
［第２実施形態］
つぎに、図１１〜図１３にフローチャートを示す本発明の第２実施形態を説明する。
上記第１実施形態では、調色制御において調色設定画面に表示される選色バー３２は、照明装置２０Ａにおける調光範囲の全波長域と対応するように表示される。その結果、調色領域選択フレーム３１によって選択された領域において調光によって設定不能な波長領域も表示されることがある。
本第２実施形態は、選色バー３２の表示範囲を、調色領域選択フレーム３１によって選択された領域において設定可能な範囲に規制するように構成したものである。
【００４６】
本第２実施形態は、照明装置調色処理と、目標色設定処理とが、前述した第１実施形態とは異なる。撮影システム１の全体構成および他の処理（すなわち、照明装置調色処理、調色対象照明装置の選択処理、調色処理および調色用評価値算出処理）は、第１実施形態と同様であるため、説明は省略する。
【００４７】
はじめに、照明装置調色処理について説明する。図１１は、本第２実施形態における照明装置調色処理の全体フローチャートである。
この照明装置調色処理では、まず、制御可能な照明装置２０Ａの検出を行い、制御可能な照明装置２０Ａの有無を判定する（Ｓ１１０１）。
【００４８】
ステップ１１０１において制御可能な照明装置２０Ａがないと判定（ＮＯ）された場合には、当該調色処理を終了する。
一方、ステップ１１０１において制御可能な照明装置が１つ以上あると判定（ＹＥＳ）された場合、カメラ１０は検出した１つ以上の照明装置２０Ａと通信接続を行う（Ｓ１１０２）。
制御可能な照明装置２０Ａと通信接続が確立されると、その個数および個々の照明装置２０ＡのＩＤおよびそれぞれ各々のその時点における状態（光量および色温度等）の情報を取得し、それを制御前状態情報として記憶する（Ｓ１１０２´）。
目標色設定可能範囲の算出を行い（Ｓ１１０３）、ついで、目標色の設定（Ｓ１１０４）、調色対象照明装置の選択（Ｓ１１０５）、照明装置の調色（Ｓ１１０６）の各処理を行う。
つまり、前述した図６に示す第１実施形態の照明装置調色処理のフローチャートにおける、ステップ６０２とステップ６０３の間に、目標色設定可能範囲算出処理のステップが挿入されているものである。
【００４９】
つぎに、目標色設定可能範囲算出処理について説明する。図１２は、目標色設定可能範囲算出処理のフローチャートである。
目標色設定可能範囲算出処理は、照明装置２０Ａの照光を、調光可能な波長範囲において最も短波長側から長波長側に所定波長間隔で順番に変化させ、その都度、各領域毎の評価値を取得して記憶し、各エリアの色の設定可能範囲を算出する。この算出結果に基づいて、選色バー３２を調色領域選択フレーム３１によって選択された領域において設定可能な範囲で表示することができる。
【００５０】
すなわち、目標色設定可能範囲算出処理では、まず、照明装置２０Ａの照光を当該照明装置における最も短波長側に設定する（Ｓ１２０１）。
ついで、各エリアの調色用評価値を算出し（Ｓ１２０２）、それを記憶する（Ｓ１２０３）。
そして、照明装置２０Ａの照光波長を長波長側にシフト可能か否かを判定する（Ｓ１２０４）。
ステップ１２０４において照明装置２０Ａの照光波長が長波長側にシフト可能と判定（ＹＥＳ）された場合には、照明装置２０Ａの照光波長を長波長側に所定量変化させて（Ｓ１２０５）、ステップ１２０２に戻る。
【００５１】
一方、ステップ１２０４において照明装置２０Ａの照光波長が長波長側にシフト不能と判定（ＮＯ）された場合には、調光可能な波長範囲の探査が終了したとして、各エリアの色の設定可能範囲を算出する（Ｓ１２０６）。
そして、照明装置２０Ａの照光色を初期状態に戻して（Ｓ１２０７）、処理を終了する。
【００５２】
つぎに、図１３にフローチャートを示す本第２実施形態における目標色設定処理について説明する。
この目標色設定処理では、調色したい被写体２の領域が、表示部１７０における画面上で選択される（Ｓ１３０１）と、選色バー３２が調色可能範囲を表示する（Ｓ１３０２）。
【００５３】
ここで、選色バー３２による調色可能範囲の表示は、図２に示す全波長域の表示から調色可能範囲のみを部分的に表示する、選択不能域を暗転させて表示する、表示は全波長域のままで選択不能とする、等適宜設定可能なものである。
そして、ステップ１３０１で選択された領域における調色設定が入力される（１３０３）。
【００５４】
以上、本実施形態によると、以下の効果を有する。
（１）上記実施形態によれば、カメラ１０における表示部１７０に表示されたスルー画像３０に重ねて表示された調色領域選択フレーム３１によって被写体２に係る調色領域を選択すると共に、表示部１７０に表示された選色バー３２における所望の色あいを選色フレーム３３によって選択することで、その調色領域と色あいの情報をカメラ通信部１８０から照明システム２０における各照明装置２０Ａの照明通信部２３に送信し、被写体２の選択部位が任意の色あいとなるように照明装置２０Ａの照明光を変化させることができる。
これにより、被写体２の所望部位が所望の色あいとなるように、照明装置２０Ａの照明光を容易に色調整して撮影することができる。その結果、被写体の色あいを照明光によって調整できるので、画像処理によって色あいを調整した画像に比べて発色が良くノイズも少ない、所望の色あいの画像を得ることができる。
（２）調色対象照明装置の選択処理によって被写体２に対して影響の大きな照明装置２０Ａを選択し、その照明装置２０Ａに対して調色制御を行うことで、合理的な調色制御が可能となると共に、周囲全体に対する影響を抑えることができる。
【００５５】
（変形形態）
以上、説明した実施形態に限定されることなく、以下に示すような種々の変形や変更が可能であり、それらも本発明の範囲内である。
（１）本実施形態では、照明システム２０における照明装置２０Ａの照明部２１をＬＥＤによるものとして説明した。照明部２１は単色発光のＬＥＤ、多色発光のＬＥＤのどちらでもよい。なお、照明部２１はＬＥＤに限らず色あいの制御が可能なものであれば利用可能なものである。
【００５６】
（２）上記実施形態では、照明システム２０の照明装置２０Ａは、被写体の上側から照明するものを例示したが、照明装置２０Ａは上側に限らず側方や下側に配置したものであっても良いものである。
なお、実施形態及び変形形態は、適宜組み合わせて用いることもできるが、詳細な説明は省略する。また、本発明は以上説明した実施形態によって限定されることはない。
【符号の説明】
【００５７】
１：撮影システム、２：被写体、１０：カメラ、１３０：撮影部、１７０：表示部、１８０：通信部、２００：カメラ制御部、２０６：調色評価値演算部、２１２：調色演算部、２０：照明システム、２０Ａ：単位照明装置、２１：照明部、２２：照明制御部、２３照明通信部、３０：スルー画像、３１：調色領域選択フレーム、３２：選色バー３２、３３：選色フレーム
【図１】
2012204954.tif 000003
【図２】
2012204954.tif 000004
【図３】
2012204954.tif 000005
【図４】
2012204954.tif 000006
【図５】
2012204954.tif 000007
【図６】
2012204954.tif 000008
【図７】
2012204954.tif 000009
【図８】
2012204954.tif 000010
【図９】
2012204954.tif 000011
【図１０】
2012204954.tif 000012
【図１１】
2012204954.tif 000013
【図１２】
2012204954.tif 000014
【図１３】
2012204954.tif 000015